(57)【要約】【課題】被写体が大きく動いている場合でも、ユーザが被写体を見失うことなく動画を撮影することができる撮像装置を提供する。【解決手段】二次元の行列状に配置された複数の画素を有する固体撮像装置を具備し、固体撮像装置に配置された全ての画素の領域の内、予め定められた画素領域内に配置された画素から出力された画素信号に応じた画像信号を出力する撮像部と、撮像部から出力された画像信号に対して画像処理を行った動画像データを生成する複数の画像処理部と、を備え、複数の画像処理部のそれぞれは、撮像部から出力された画像信号を該画像処理部の数に分割した、いずれか１つの分割画像信号に対して画像処理を行って、該分割画像信号のそれぞれに応じた動画像データを生成する。【選択図】図１
2013102324.tif 000002
【特許請求の範囲】
【請求項１】
動画像を撮影する撮像装置であって、
二次元の行列状に配置された複数の画素を有する固体撮像装置を具備し、該固体撮像装置に配置された全ての前記画素の領域の内、予め定められた画素領域内に配置された前記画素から出力された画素信号に応じた画像信号を出力する撮像部と、
前記撮像部から出力された前記画像信号に対して画像処理を行った動画像データを生成する複数の画像処理部と、
を備え、
複数の前記画像処理部のそれぞれは、
前記撮像部から出力された前記画像信号を該画像処理部の数に分割した、いずれか１つの分割画像信号に対して画像処理を行って、該分割画像信号のそれぞれに応じた前記動画像データを生成する、
ことを特徴とする撮像装置。
【請求項２】
前記撮像部に予め定められる前記画素領域は、
前記固体撮像装置に有する、被写体光が入射される全ての前記画素の領域である有効画素領域の内、予め定められた上下の領域を除いた領域である、
ことを特徴とする請求項１に記載の撮像装置。
【請求項３】
複数の前記画像処理部のそれぞれは、
上下の領域を除いた前記画素領域に対応した前記画像信号を、左右方向に分割した前記分割画像信号のそれぞれに応じた前記動画像データを生成する、
ことを特徴とする請求項２に記載の撮像装置。
【請求項４】
前記撮像部に予め定められる前記画素領域は、
前記固体撮像装置に有する、被写体光が入射される全ての前記画素の領域である有効画素領域の内、予め定められた左右の領域を除いた領域である、
ことを特徴とする請求項１に記載の撮像装置。
【請求項５】
複数の前記画像処理部のそれぞれは、
左右の領域を除いた前記画素領域に対応した前記画像信号を、上下方向に分割した前記分割画像信号のそれぞれに応じた前記動画像データを生成する、
ことを特徴とする請求項４に記載の撮像装置。
【請求項６】
それぞれの前記分割画像信号には、隣接する他の前記分割画像信号との境界部分に、重複する画像信号が含まれており、
複数の前記画像処理部のそれぞれは、
前記重複する画像信号を含めた前記分割画像信号のそれぞれに応じた前記動画像データを生成する、
ことを特徴とする請求項３または請求項５に記載の撮像装置。
【請求項７】
当該撮像装置によって撮影を行う際の撮影画角のズーム倍率を制御する制御部、
をさらに備え、
前記制御部は、
前記動画像の撮影を行う際の撮影画角のズーム倍率を広角の状態に制御する、
ことを特徴とする請求項３、請求項５、または請求項６に記載の撮像装置。
【請求項８】
前記動画像を表示する表示部、
をさらに備え、
前記表示部は、
複数の前記画像処理部のそれぞれが生成した、前記分割した画像信号のそれぞれに応じた複数の前記動画像データを合成し、前記撮像部から出力された前記画像信号に応じた動画像の状態で、該合成した動画像を表示する、
ことを特徴とする請求項３、請求項５、請求項６、または請求項７に記載の撮像装置。
【請求項９】
前記表示部に表示する動画像の領域を指示する領域指示部、
をさらに備え、
前記表示部は、
前記合成した動画像に、前記領域指示部が指示する動画像の領域を表す領域枠を重畳して表示し、前記領域指示部が指示する領域内の動画像を出力する、
ことを特徴とする請求項８に記載の撮像装置。
【請求項１０】
前記動画像を表示する表示部と、
前記表示部に表示する動画像の領域を指示する領域指示部と、
をさらに備え、
前記表示部は、
複数の前記画像処理部のそれぞれが生成した、前記分割した画像信号のそれぞれに応じた複数の前記動画像データを合成し、前記撮像部から出力された前記画像信号に応じた動画像の状態とし、該合成した動画像の内、前記領域指示部が指示する領域内の動画像を表示する、
ことを特徴とする請求項３、請求項５、請求項６、または請求項７に記載の撮像装置。
【請求項１１】
前記領域指示部は、
複数の前記画像処理部のそれぞれが生成した、前記分割した画像信号のそれぞれに応じた複数の前記動画像データに、前記表示部に表示する動画像の領域を指示する情報を追加する、
ことを特徴とする請求項９または請求項１０に記載の撮像装置。
【請求項１２】
前記領域指示部が指示する領域内の動画像に対応した前記画像信号に対して画像処理を行った第２の動画像データを生成する画像処理部、
をさらに備え、
前記領域指示部は、
複数の前記画像処理部のそれぞれが生成した、前記分割した画像信号のそれぞれに応じた複数の前記動画像データに、前記第２の動画像データを関連付ける、
ことを特徴とする請求項９または請求項１０に記載の撮像装置。
【発明の詳細な説明】
【技術分野】
【０００１】
本発明は、撮像装置に関する。
【背景技術】
【０００２】
一般に、デジタルスチルカメラやビデオカメラなど、動画を撮影することができる撮像装置においては、光学ズームや電子ズームなどのズーム機能を備えている。ズーム機能を用いることによって、広角（以下、「ワイド側」という）から望遠（以下、「テレ側」という）まで、様々な画角で被写体を撮影することができる。
【０００３】
しかし、例えば、運動会の徒競走のように、大きく動いている被写体を撮影する場合、ズームの倍率を上げてテレ側で撮影しようとすると、撮影者（ユーザ）が被写体を見失う、すなわち、被写体を画角の中に収めるのが難しくなる。逆に、ワイド側で撮影すると、被写体を見失うことは少なくなるが、画角の中に収まっている被写体が小さくなってしまう、という問題がある。
【０００４】
また、例えば、特許文献１で開示された技術では、画角の異なる複数の画像（例えば、ワイド側の画像とテレ側の画像）を１枚の合成画像として記録する方法が開示されている。このような技術を採用することによって、ワイド画像とテレ画像とのように、画角の異なる複数の画像を同時に撮影することができるようになる。
【先行技術文献】
【特許文献】
【０００５】
【特許文献１】特許第４６９７０７８号公報
【発明の概要】
【発明が解決しようとする課題】
【０００６】
しかしながら、特許文献１で開示された技術のように、ワイド画像とテレ画像とを同時に撮影することができる場合であっても、被写体を画角内に収める必要があることには変わりない。このため、動きが大きい被写体をテレ側で撮影するときに、ユーザが被写体を見失ってしまうという問題は、解決することができない。
【０００７】
本発明は、上記の課題認識に基づいてなされたものであり、被写体が大きく動いている場合でも、ユーザが被写体を見失うことなく動画を撮影することができる撮像装置を提供することを目的としている。
【課題を解決するための手段】
【０００８】
上記の課題を解決するため、本発明の撮像装置は、動画像を撮影する撮像装置であって、二次元の行列状に配置された複数の画素を有する固体撮像装置を具備し、該固体撮像装置に配置された全ての前記画素の領域の内、予め定められた画素領域内に配置された前記画素から出力された画素信号に応じた画像信号を出力する撮像部と、前記撮像部から出力された前記画像信号に対して画像処理を行った動画像データを生成する複数の画像処理部と、を備え、複数の前記画像処理部のそれぞれは、前記撮像部から出力された前記画像信号を該画像処理部の数に分割した、いずれか１つの分割画像信号に対して画像処理を行って、該分割画像信号のそれぞれに応じた前記動画像データを生成する、ことを特徴とする。
【０００９】
また、本発明の撮像装置において、前記撮像部に予め定められる前記画素領域は、前記固体撮像装置に有する、被写体光が入射される全ての前記画素の領域である有効画素領域の内、予め定められた上下の領域を除いた領域である、ことを特徴とする。
【００１０】
また、本発明の撮像装置において、複数の前記画像処理部のそれぞれは、上下の領域を除いた前記画素領域に対応した前記画像信号を、左右方向に分割した前記分割画像信号のそれぞれに応じた前記動画像データを生成する、ことを特徴とする。
【００１１】
また、本発明の撮像装置において、前記撮像部に予め定められる前記画素領域は、前記固体撮像装置に有する、被写体光が入射される全ての前記画素の領域である有効画素領域の内、予め定められた左右の領域を除いた領域である、ことを特徴とする。
【００１２】
また、本発明の撮像装置において、複数の前記画像処理部のそれぞれは、左右の領域を除いた前記画素領域に対応した前記画像信号を、上下方向に分割した前記分割画像信号のそれぞれに応じた前記動画像データを生成する、ことを特徴とする。
【００１３】
また、本発明の撮像装置において、それぞれの前記分割画像信号には、隣接する他の前記分割画像信号との境界部分に、重複する画像信号が含まれており、複数の前記画像処理部のそれぞれは、前記重複する画像信号を含めた前記分割画像信号のそれぞれに応じた前記動画像データを生成する、ことを特徴とする。
【００１４】
また、本発明の撮像装置は、当該撮像装置によって撮影を行う際の撮影画角のズーム倍率を制御する制御部、をさらに備え、前記制御部は、前記動画像の撮影を行う際の撮影画角のズーム倍率を広角の状態に制御する、ことを特徴とする。
【００１５】
また、本発明の撮像装置は、前記動画像を表示する表示部、をさらに備え、前記表示部は、複数の前記画像処理部のそれぞれが生成した、前記分割した画像信号のそれぞれに応じた複数の前記動画像データを合成し、前記撮像部から出力された前記画像信号に応じた動画像の状態で、該合成した動画像を表示する、ことを特徴とする。
【００１６】
また、本発明の撮像装置は、前記表示部に表示する動画像の領域を指示する領域指示部、をさらに備え、前記表示部は、前記合成した動画像に、前記領域指示部が指示する動画像の領域を表す領域枠を重畳して表示し、前記領域指示部が指示する領域内の動画像を出力する、ことを特徴とする。
【００１７】
また、本発明の撮像装置は、前記動画像を表示する表示部と、前記表示部に表示する動画像の領域を指示する領域指示部と、をさらに備え、前記表示部は、複数の前記画像処理部のそれぞれが生成した、前記分割した画像信号のそれぞれに応じた複数の前記動画像データを合成し、前記撮像部から出力された前記画像信号に応じた動画像の状態とし、該合成した動画像の内、前記領域指示部が指示する領域内の動画像を表示する、ことを特徴とする。
【００１８】
また、本発明の撮像装置は、前記領域指示部は、複数の前記画像処理部のそれぞれが生成した、前記分割した画像信号のそれぞれに応じた複数の前記動画像データに、前記表示部に表示する動画像の領域を指示する情報を追加する、ことを特徴とする。
【００１９】
また、本発明の撮像装置は、前記領域指示部が指示する領域内の動画像に対応した前記画像信号に対して画像処理を行った第２の動画像データを生成する画像処理部、をさらに備え、前記領域指示部は、複数の前記画像処理部のそれぞれが生成した、前記分割した画像信号のそれぞれに応じた複数の前記動画像データに、前記第２の動画像データを関連付ける、ことを特徴とする。
【発明の効果】
【００２０】
本発明によれば、被写体が大きく動いている場合でも、ユーザが被写体を見失うことなく動画を撮影することができるという効果が得られる。
【図面の簡単な説明】
【００２１】
【図１】本発明の実施形態における撮像装置の概略構成を示したブロック図である。
【図２】本実施形態の撮像装置において動画を撮影する際の処理手順の一例を説明する図である。
【図３】本実施形態の撮像装置において静止画を撮影する各処理段階の画素数の関係の一例を説明する図である。
【図４】本実施形態の撮像装置において動画を撮影する各処理段階の画素数の関係の一例を説明する図である。
【図５】本実施形態の撮像装置において動画を撮影する各処理段階の画素数の関係の一例を説明する図である。
【図６】本実施形態の撮像装置において動画を再生する際の処理手順の一例を説明する図である。
【図７】本実施形態の撮像装置において動画を再生する際の処理手順の別の一例を説明する図である。
【図８】本実施形態の撮像装置において動画を再生する際の画素数の一例を説明する図である。
【発明を実施するための形態】
【００２２】
以下、本発明の実施形態について、図面を参照して説明する。図１は、本実施形態における撮像装置の概略構成を示したブロック図である。図１において、撮像装置１０は、イメージセンサ１００と、前処理部２００と、画像処理部３０１および３０２と、表示処理部４００と、表示デバイス４０１と、外部ディスプレイ４０２と、カードインタフェース部５００と、記録媒体５０１と、ＤＲＡＭコントローラ６００と、ＤＲＡＭ（Ｄｙｎａｍｉｃ  Ｒａｎｄｏｍ  Ａｃｃｅｓｓ  Ｍｅｍｏｒｙ）６０１と、ＣＰＵ７００と、操作ボタン８００と、を備えている。
【００２３】
撮像装置１０内の前処理部２００、画像処理部３０１および３０２、表示処理部４００、カードインタフェース部５００、ＤＲＡＭコントローラ６００、およびＣＰＵ７００は、データバス９００を介してそれぞれ接続され、例えば、ＤＭＡ（Ｄｉｒｅｃｔ  Ｍｅｍｏｒｙ  Ａｃｃｅｓｓ）によってＤＲＡＭコントローラ６００に接続されたＤＲＡＭ６０１からのデータの読み出し、およびＤＲＡＭ６０１へのデータの書き込みを行う。
【００２４】
イメージセンサ１００は、図示しないズームレンズによって結像された被写体の光学像を光電変換するＣＣＤ（Ｃｈａｒｇｅ  Ｃｏｐｌｅｄ  Ｄｅｖｉｃｅ：電荷結合素子）イメージセンサや、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ：相補型金属酸化膜半導体）イメージセンサに代表されるイメージセンサである。イメージセンサ１００は、被写体光に応じた画素信号を、入力画像データとして前処理部２００に出力する。
【００２５】
前処理部２００は、イメージセンサ１００から入力された入力画像データに、キズ補正やシェーディング補正などの前処理を施し、前処理した結果の画像データ（以下、「前処理画像データ」という）を、ＤＲＡＭ６０１に転送する（書き込む）。
【００２６】
画像処理部３０１および３０２のそれぞれは、ＤＲＡＭ６０１に記録されている前処理画像データを取得し（読み出し）、ノイズ除去、ＹＣ変換処理、リサイズ処理、ＪＰＥＧ圧縮処理、およびＭＰＥＧ圧縮処理やＨ．２６４圧縮処理等の動画圧縮処理などの各種の画像処理を施して、表示用の画像データや記録用の画像データを生成する。また、画像処理部３０１および３０２のそれぞれは、ＤＲＡＭ６０１に記録されている記録用の画像データを取得し（読み出し）、ＪＰＥＧ伸張処理、ＭＰＥＧ伸張処理やＨ．２６４伸張処理等の動画伸張処理などの各種の画像処理を施して、表示用の画像データを生成する。また、画像処理部３０１および３０２のそれぞれは、生成した表示用の画像データおよび記録用の画像データを、ＤＲＡＭ６０１に転送する（書き込む）。
【００２７】
表示処理部４００は、ＤＲＡＭ６０１に記録されている表示用の画像データを取得し（読み出し）、取得した表示用の画像データにＯＳＤ（Ｏｎ−Ｓｃｒｅｅｎ  Ｄｉｓｐｌａｙ）表示用のデータを重畳する処理などの表示処理を施す。そして、表示処理後の画像データを、表示デバイス４０１や外部ディスプレイ４０２に出力する。
【００２８】
表示デバイス４０１は、ＴＦＴ（薄膜トランジスター：Ｔｈｉｎ  Ｆｉｌｍ  Ｔｒａｎｓｉｓｔｏｒ）液晶ディスプレイ（ＬＣＤ：Ｌｉｑｕｉｄ  Ｃｒｙｓｔａｌ  Ｄｉｓｐｌａｙ）や、有機ＥＬ（Ｅｌｅｃｔｒｏ  Ｌｕｍｉｎｅｓｃｅｎｃｅ）ディスプレイなどの表示デバイスであり、表示処理部４００から出力された表示処理後の画像データに応じた画像を表示する。
【００２９】
外部ディスプレイ４０２は、テレビなどの外部の表示デバイスであり、表示処理部４００から出力された表示処理後の画像データに応じた画像を表示する。なお、図１においては、外部ディスプレイ４０２も撮像装置１０の構成要素としているが、外部ディスプレイ４０２は、撮像装置１０に着脱可能な構成である。
【００３０】
カードインタフェース部５００は、ＤＲＡＭ６０１に記録されている記録用の画像データを取得し（読み出し）、記録媒体５０１に記録させる。また、カードインタフェース部５００は、記録媒体５０１に記録している画像データを読み出し、読み出した画像データを、ＤＲＡＭ６０１に転送する（書き込む）。
【００３１】
記録媒体５０１は、ＳＤメモリカード（ＳＤ  Ｍｅｍｏｒｙ  Ｃａｒｄ）やコンパクトフラッシュ（ＣｏｍｐａｃｔＦｌａｓｈ：ＣＦ（登録商標））などの記録媒体であり、カードインタフェース部５００から出力された記録用の画像データを記録する。また、カードインタフェース部５００によって記録している画像データが読み出される。なお、図１においては、記録媒体５０１も撮像装置１０の構成要素としているが、記録媒体５０１は、撮像装置１０に着脱可能な構成である。
【００３２】
ＤＲＡＭコントローラ６００は、データバス９００に接続されている撮像装置１０内の複数の構成要素からのＤＲＡＭ６０１へのアクセス要求、例えば、ＤＭＡアクセス要求に応じて、接続されているＤＲＡＭ６０１へのデータの転送（書き込み）、およびＤＲＡＭ６０１からのデータの取得（読み出し）を行う。
【００３３】
ＤＲＡＭ６０１は、ＤＲＡＭコントローラ６００によってアクセス制御されるメモリである。ＤＲＡＭ６０１は、撮像装置１０内のそれぞれの構成要素の処理過程における様々なデータを記録する。
【００３４】
ＣＰＵ７００は、撮像装置１０の構成要素、すなわち、撮像装置１０全体を制御する。例えば、撮像装置１０における撮影動作や再生動作に応じて、撮像装置１０内の各構成要素の動作を制御する。また、例えば、ＣＰＵ７００は、撮像装置１０が撮影動作を行う際に、図示しないズームレンズを広角側（ワイド側）や望遠側（テレ側）、またはその中間の状態に制御する。
【００３５】
操作ボタン８００は、撮像装置１０の使用者（ユーザ）が、撮像装置１０を操作するときに使用する各種ボタンやスイッチ類である。ユーザは、操作ボタン８００を操作することによって、撮像装置１０における様々な動作や設定の指示を行う。ユーザによる操作ボタン８００の操作は、ＣＰＵ７００に出力される。ＣＰＵ７００は、操作ボタン８００から入力された操作に応じて、撮像装置１０内の各構成要素の動作を制御する。なお、操作ボタン８００は、各種ボタンやスイッチ類のみで構成されるのではなく、例えば、タッチパネルなどを含んだ構成であってもよい。
【００３６】
次に、撮像装置１０における動画の撮影動作について説明する。図２は、本実施形態の撮像装置１０において動画を撮影する際の処理手順の一例を説明する図である。撮像装置１０における動画の撮影は、以下の手順で行われる。
【００３７】
（手順１）：まず、ズームレンズを広角側（ワイド側）、またはさらに広角にした状態で、被写体の光学像をイメージセンサ１００に結像する。イメージセンサ１００は、結像した被写体光に応じた画素信号（入力画像データ）を前処理部２００に出力する際に、イメージセンサ１００の有効画素の内、上下の部分を除いた（カットした）領域の画素信号を入力画像データとして、前処理部２００に出力する。なお、イメージセンサ１００においては、常に遮光されたオプティカルブラック（ＯＢ）の画素が存在する。このＯＢ画素が、有効画素の上か下、または上下の両方の領域にある場合には、入力画像データを前処理部２００に出力する際に、このＯＢ画素の画素信号はカットせずに、前処理部２００に出力する。以下の説明においては、被写体光に応じた画素信号のみに注目し、ＯＢ画素の画素信号に関しては、説明を省略する。そして、ここでは、図２（ａ）に示したような、イメージセンサ１００の有効画素の上下部分をカットした領域の入力画像データが、前処理部２００に出力されるものとする。
【００３８】
（手順２）：前処理部２００は、図２（ｂ）に示したような、上下の部分がカットされた入力画像データに対して前処理を施し、前処理後の前処理画像データを、ＤＲＡＭ６０１に記録する（書き込む）。
【００３９】
（手順３）：画像処理部３０１および３０２のそれぞれは、ＤＲＡＭ６０１に記録されている前処理画像データに対して動画圧縮処理を施した表示用の画像データ（以下、「表示動画データ」という）と記録用の画像データ（以下、「記録動画データ」という）を生成し、再度、ＤＲＡＭ６０１に記録する（書き込む）。
【００４０】
なお、画像処理部３０１および３０２のそれぞれが動画圧縮処理を行う際、画像処理部３０１および３０２はそれぞれ、２つに分割した前処理画像データのいずれか一方に対してのみ、動画圧縮処理を行う。図２（ｃ）には、画像処理部３０１が、２つに分割した前処理画像データの一方（左側）の前処理画像データに対して動画圧縮処理を行う場合を示し、図２（ｄ）には、画像処理部３０２が、２つに分割した前処理画像データの他方（右側）の前処理画像データに対して動画圧縮処理を行う場合を示している。そして、ＤＲＡＭ６０１には、画像処理部３０１が動画圧縮処理した表示動画データおよび記録動画データと、画像処理部３０２が動画圧縮処理した表示動画データおよび記録動画データとが、それぞれ記録される。
【００４１】
また、画像処理部３０１および３０２のそれぞれが動画圧縮処理を行う際、２つに分割した前処理画像データの区切りの部分に、画像処理部３０１および３０２のそれぞれで、例えば、空間フィルタ処理を行う際に必要な、重複領域（オーバーラップ領域）である、いわゆる「画像処理におけるのり代部分」を設けることもできる。オーバーラップ領域を設けて画像処理することにより、２つに分割した区切りの部分の画像の繋ぎ目を目立たなくすることができる。なお、オーバーラップ領域は、画像処理において用いるのみではなく、記録動画データや表示動画データに残しておき、後述する記録動画データの再生や、表示動画データの画像の表示のときに再度処理する構成とすることもできる。また、オーバーラップ領域のデータを、記録動画データや表示動画データに残さず、後述する記録動画データの再生や、表示動画データの画像の表示のときに処理しない構成とすることもできる。
【００４２】
（手順４）：表示処理部４００は、撮像装置１０において動画の撮影を行っているとき、撮影している被写体の画像を表示デバイス４０１に表示させる。このとき、表示処理部４００は、ＤＲＡＭ６０１に記録されている２つの表示動画データを読み出し、読み出した２つの表示動画データを合成して、図２（ｅ）に示したように、撮影している被写体の全体が表示されるようにする表示処理を施す。そして、表示処理後の表示動画データを、表示デバイス４０１に出力する。なお、表示処理部４００は、撮影している被写体の画像を外部ディスプレイ４０２にも表示させることができる。この場合、表示処理部４００は、表示処理後の表示動画データを、外部ディスプレイ４０２に出力する。
【００４３】
なお、表示処理部４００が２つの表示動画データを合成する表示処理を施す際、２つの表示動画データの区切りの部分に、画像の繋ぎ目を目立たなくするためのオーバーラップ領域が含まれている場合には、オーバーラップ領域の処理を含めた表示動画データの表示処理を行う。
【００４４】
（手順５）：また、カードインタフェース部５００は、ＤＲＡＭ６０１に記録されている２つの記録動画データを読み出し、読み出した２つの記録動画データを、それぞれ記録媒体５０１に記録させる。なお、２つの記録動画データを記録媒体５０１に記録させる場合、図２（ｆ）に示したように、２つの記録動画データをそれぞれ関連した別のファイルとして記録媒体５０１に記録させることもできるが、２つの記録動画データを結合（マージ）して１つのファイルとして記録媒体５０１に記録させることもできる。
【００４５】
このような手順によって、撮像装置１０では、ズームレンズを広角側（ワイド側）、またはさらに広角にした状態で撮影した入力画像データを、２つの画像処理部３０１および３０２のそれぞれで動画圧縮処理を行う。そして、２つの画像処理部３０１および３０２のそれぞれが生成したそれぞれの動画ファイルを、表示デバイス４０１に表示しながら、記録媒体５０１に記録（保存）する。これにより、被写体が大きく動いている場合でも、ユーザが被写体を見失うことなく撮影することができる。
【００４６】
従来の撮像装置では、一般に、静止画を撮影した画像よりも、動画を撮影した画像の方が、記録されている画素数（記録画素数）が少ない。これは、イメージセンサ内で画素数を変換するための画素加算や、画素を間引く処理を行うことによって、動画の画素数を少なくし、動画を撮影する際の処理間隔、すなわち、動画のフレームレートを確保するためである。
【００４７】
本実施形態の撮像装置１０では、２つの画像処理部３０１および３０２のそれぞれが、２つに分割した前処理画像データを分担して動画圧縮処理を行う。これにより、本実施形態の撮像装置１０では、前処理画像データに含まれる画素数が多くても、前処理画像データを分割せずに１つの画像処理部で動画圧縮処理を行う場合より、それぞれの画像処理部（画像処理部３０１および３０２）における動画圧縮処理の負荷の増大を抑えることができる。このことにより、記録画素数を低下させることなく、記録動画データを記録媒体５０１に記録（保存）することができる。このため、本実施形態の撮像装置１０では、より高画質の記録動画データを、記録媒体５０１に記録（保存）することができる。また、より高性能の画像処理部を開発する必要もない。
【００４８】
ここで、撮像装置１０が撮影して記録する画像データの記録画素数について説明する。図３〜図５は、本実施形態の撮像装置１０において撮影を行う場合の各処理段階の画素数の関係の一例を説明する図である。図３には、撮像装置１０が静止画を撮影する際の各処理段階の画素数の関係の一例を示している。また、図４には、撮像装置１０が通常の動画を撮影する際の各処理段階の画素数の関係の一例を示している。また、図５には、撮像装置１０が、上述したように、広角側（ワイド側）、またはさらに広角にした状態で動画を撮影する際の各処理段階の画素数の関係の一例を示している。なお、以下の説明においては、イメージセンサ１００の有効画素の数（有効画素数）が、１６００万画素（１６Ｍｐｉｘｅｌ）であるものとして説明する。
【００４９】
まず、図３を参照して、撮像装置１０が静止画を撮影する際の各処理段階の画素数の関係について説明する。撮像装置１０による静止画の撮影では、イメージセンサ１００の有効画素数と同じ１６Ｍｐｉｘｅｌの記録用の画像データ（以下、「記録静止画データ」という）が、記録媒体５０１に記録（保存）される。なお、図３に示した静止画を撮影する際の各処理段階の画素数の関係は、従来の撮像装置が静止画を撮影する際の各処理段階の画素数の関係と同様である。
【００５０】
撮像装置１０が静止画を撮影する際には、図３（ａ）に示したイメージセンサ１００の有効画素数の全ての画素の画素信号を、１６Ｍｐｉｘｅｌの入力画像データとして前処理部２００に出力する（図３（ｂ）参照）。その後、前処理部２００は、図３（ｃ）に示したように、イメージセンサ１００から入力された全ての入力画像データに対して前処理を施し、前処理後の１６Ｍｐｉｘｅｌの前処理画像データを、ＤＲＡＭ６０１に記録する（書き込む）。その後、画像処理部３０１は、前処理部２００が前処理した後の前処理画像データに対してＪＰＥＧ圧縮処理を施した、図３（ｄ）に示したような１６Ｍｐｉｘｅｌの記録静止画データを生成し、再度、ＤＲＡＭ６０１に記録する（書き込む）。ここで生成された１６Ｍｐｉｘｅｌの記録静止画データが、その後、記録媒体５０１に記録（保存）される。
【００５１】
なお、撮像装置１０が静止画を撮影する場合には、画像処理部３０１または画像処理部３０２のいずれか一方（本一例では、画像処理部３０１）のみが、ＪＰＥＧ圧縮処理を行う。このように、いずれか一方の画像処理部のみが動作し、他方の画像処理部が停止することにより、撮像装置１０が静止画を撮影するときの消費電力の増大を抑えることができる。
【００５２】
続いて、図４を参照して、撮像装置１０が通常の動画を撮影する際の各処理段階の画素数の関係について説明する。撮像装置１０による通常の動画の撮影では、外部ディスプレイ４０２に表示できる画素数（本一例では、２Ｍｐｉｘｅｌ）の記録動画データが、記録媒体５０１に記録（保存）される。なお、図４に示した通常の動画を撮影する際の各処理段階の画素数の関係は、従来の撮像装置が動画を撮影する際の各処理段階の画素数の関係と同様である。
【００５３】
撮像装置１０が通常の動画を撮影する際、イメージセンサ１００は、図４（ａ）に示した有効画素数の全ての画素から画素信号を得るが、入力画像データを出力する際に、得られたそれぞれの画素信号に基づいて、４Ｍｐｉｘｅｌに画素数変換するための画素加算が行われる。そして、イメージセンサ１００は、画素加算した後の４Ｍｐｉｘｅｌの入力画像データを、前処理部２００に出力する（図４（ｂ）参照）。その後、前処理部２００は、図４（ｃ）に示したように、イメージセンサ１００から入力された画素加算後の入力画像データに対して前処理を施し、さらに、２Ｍｐｉｘｅｌに縮小（リサイズ）する処理を施す。そして、前処理部２００は、リサイズ処理後の２Ｍｐｉｘｅｌの前処理画像データを、ＤＲＡＭ６０１に記録する（書き込む）。その後、画像処理部３０１は、前処理部２００が前処理とリサイズ処理とを施した後の前処理画像データに対して動画圧縮処理を施した、図４（ｄ）に示したような２Ｍｐｉｘｅｌの記録動画データを生成し、再度、ＤＲＡＭ６０１に記録する（書き込む）。ここで生成された２Ｍｐｉｘｅｌの記録動画データが、その後、記録媒体５０１に記録（保存）される。
【００５４】
なお、撮像装置１０が通常の動画を撮影する場合には、画像処理部３０１または画像処理部３０２のいずれか一方（本一例では、画像処理部３０１）のみが、動画圧縮処理を行う。このように、いずれか一方の画像処理部のみが動作し、他方の画像処理部が停止することにより、撮像装置１０が通常の動画を撮影するときの消費電力の増大を抑えることができる。
【００５５】
また、図４に示した撮像装置１０が通常の動画を撮影において、前処理部２００で行った４Ｍｐｉｘｅｌから２Ｍｐｉｘｅｌへのリサイズ処理は、画像処理部３０１が行うこともできる。しかし、画像処理部３０１がサイズ処理を行うよりも、前処理部２００がリサイズ処理を行う方が望ましい。これは、前処理部２００がリサイズ処理を行う方が、撮像装置１０の各処理において、データバス９００を介して各処理部間でやり取りされる画像データの量を少なくすることができる、すなわち、ＤＲＡＭ６０１のバス帯域を低減することができるからである。
【００５６】
続いて、図５を参照して、撮像装置１０が、上述したように、広角側（ワイド側）、またはさらに広角にした状態で動画を撮影する際の各処理段階の画素数の関係について説明する。なお、広角側（ワイド側）、またはさらに広角にした状態での動画の撮影は、本実施形態の撮像装置１０に特有の動画撮影の機能である。以下の説明においては、本実施形態の撮像装置１０に特有の広角側（ワイド側）、またはさらに広角にした状態で撮影する動画の撮影を、「ワイド動画撮影」という。撮像装置１０によるワイド動画撮影では、上述したように、２つの記録動画データが、記録媒体５０１に記録（保存）される。記録媒体５０１に記録（保存）される記録動画データは、それぞれ、外部ディスプレイ４０２に表示できる画素数（本一例では、２Ｍｐｉｘｅｌ）の記録動画データである。
【００５７】
撮像装置１０がワイド動画撮影をする際、イメージセンサ１００は、有効画素数の全ての画素の内、上下の部分をカットした領域の画素から画素信号を得る。図５（ａ）では、イメージセンサ１００の全ての有効画素の領域の内、上下それぞれ４Ｍｐｉｘｅｌをカットした領域の画素から画素信号を得る場合を示している。そして、イメージセンサ１００は、中央の８Ｍｐｉｘｅｌ（右側の４Ｍｐｉｘｅｌと、左側の４Ｍｐｉｘｅｌとの合計）の画素信号を、８Ｍｐｉｘｅｌの入力画像データとして前処理部２００に出力する（図５（ｂ）参照）。その後、前処理部２００は、図５（ｃ）に示したように、イメージセンサ１００から入力された８Ｍｐｉｘｅｌの入力画像データに対して前処理を施し、さらに、４Ｍｐｉｘｅｌ（右側の２Ｍｐｉｘｅｌと、左側の２Ｍｐｉｘｅｌとの合計）に縮小（リサイズ）する処理を施す。そして、前処理部２００は、リサイズ処理後の４Ｍｐｉｘｅｌの前処理画像データを、ＤＲＡＭ６０１に記録する（書き込む）。
【００５８】
その後、画像処理部３０１および３０２のそれぞれは、前処理部２００が前処理とリサイズ処理とを施した後の４Ｍｐｉｘｅｌの前処理画像データを２つに分割した、いずれか一方の２Ｍｐｉｘｅｌの前処理画像データに対して動画圧縮処理を施して、２つの２Ｍｐｉｘｅｌの記録動画データを生成し、再度、ＤＲＡＭ６０１に記録する（書き込む）。図５（ｄ）には、画像処理部３０１が、２つに分割した前処理画像データの一方（左側）の２Ｍｐｉｘｅｌの前処理画像データに対して動画圧縮処理を行った２Ｍｐｉｘｅｌの記録動画データを生成し、画像処理部３０２が、２つに分割した前処理画像データの他方（右側）の２Ｍｐｉｘｅｌの前処理画像データに対して動画圧縮処理を行った２Ｍｐｉｘｅｌの記録動画データを生成する場合を示している。ここで生成された２つの２Ｍｐｉｘｅｌの記録動画データが、その後、記録媒体５０１に記録（保存）される。
【００５９】
なお、撮像装置１０がワイド動画撮影をする場合は、イメージセンサ１００が上下の部分をカットせずに、全ての有効画素の領域、すなわち、１６Ｍｐｉｘｅｌの入力画像データを前処理部２００に出力し、前処理部２００が、イメージセンサ１００から入力された全ての入力画像データに対して前処理を施した後に上下の部分をカットし、さらに、４Ｍｐｉｘｅｌに縮小（リサイズ）する処理を施した前処理画像データを出力することもできる。しかし、イメージセンサ１００が全ての有効画素の入力画像データを出力するよりも、イメージセンサ１００が上下の部分をカットした入力画像データを出力するモードを設ける方が望ましい。これは、イメージセンサ１００に上下の部分をカットして入力画像データを出力するモードを設けることによって、イメージセンサ１００による入力画像データの出力に要する時間を短く、すなわち、イメージセンサ１００が入力画像データを出力する際の速度を向上することができるからである。これにより、撮像装置１０におけるワイド動画撮影のフレームレートの向上が見込めるからである。
【００６０】
また、イメージセンサ１００が、上下の部分をカットした入力画像データを前処理部２００に出力する代わりに、画素加算を行って、画素加算後の入力画像データを、前処理部２００に出力する構成にすることもできる。この場合でも、イメージセンサ１００が入力画像データを出力する際の速度の向上が見込めるため、撮像装置１０におけるワイド動画撮影のフレームレートの向上が見込める。
【００６１】
このように、本実施形態の撮像装置１０では、ワイド動画撮影によって、複数の記録動画データを記録媒体５０１に記録（保存）することができる。また、それぞれの記録動画データは、通常の動画の撮影で得られる記録動画データと同等の記録画素数の記録動画データである。従って、ワイド動画撮影で得られる全ての記録動画データは、通常の動画の撮影で得られる記録動画データよりも多くの記録画素数の記録動画データである。このため、通常の動画の撮影で得られる記録動画データの上下をカットすることによって、ワイド動画撮影と同様の画角の動画を再生する場合よりも、再生される動画の画質劣化を低減することができ、より高画質の動画を再生することができる。
【００６２】
次に、撮像装置１０における動画の再生動作について説明する。図６は、本実施形態の撮像装置１０において動画を再生する際の処理手順の一例を説明する図である。撮像装置１０における動画の再生は、以下の手順で行われる。なお、以下の説明においては、記録媒体５０１に記録（保存）されている、本実施形態の撮像装置１０のワイド動画撮影によって生成された２つの記録動画データを、再生する場合について説明する。
【００６３】
（手順１）：まず、カードインタフェース部５００は、記録媒体５０１に記録されている２つの記録動画データを読み出し、読み出した２つの記録動画データを、それぞれＤＲＡＭ６０１に記録する（書き込む）。なお、記録媒体５０１に記録されている２つの記録動画データは、図６（ａ）に示したように、２つの記録動画データがそれぞれ関連した別のファイルとして記録媒体５０１に記録されていてもよいが、２つの記録動画データを結合（マージ）した１つのファイルとして記録媒体５０１に記録されていてもよい。また、２つの記録動画データが１つのファイルとして結合（マージ）して記録されている場合、カードインタフェース部５００が、結合（マージ）された２つの記録動画データを分割して、それぞれの記録動画データをＤＲＡＭ６０１に記録する（書き込む）構成とすることもできる。
【００６４】
（手順２）：画像処理部３０１および３０２のそれぞれは、ＤＲＡＭ６０１に記録されているそれぞれの記録動画データに対して動画伸張処理を施して、表示用の画像データ（表示動画データ）を生成し、再度、ＤＲＡＭ６０１に記録する（書き込む）。なお、画像処理部３０１および３０２のそれぞれが表示動画データを生成する際には、表示デバイス４０１が表示することができる大きさの表示動画データに変換（リサイズ）する処理を行った表示動画データと、外部ディスプレイ４０２が表示することができる大きさの表示動画データに変換（リサイズ）する処理を行った表示動画データと、をそれぞれ生成してもよい。
【００６５】
なお、画像処理部３０１および３０２のそれぞれが動画伸張処理を行う際、画像処理部３０１および３０２はそれぞれ、２つに分割された記録動画データのいずれか一方に対してのみ、動画伸張処理を行う。図６（ｂ）には、画像処理部３０１が、２つに分割された記録動画データの一方（左側）の記録動画データに対して動画伸張処理を行う場合を示し、図６（ｃ）には、画像処理部３０２が、２つに分割された記録動画データの他方（右側）の記録動画データに対して動画伸張処理を行う場合を示している。そして、ＤＲＡＭ６０１には、画像処理部３０１が動画伸張処理した表示動画データと、画像処理部３０２が動画伸張処理した表示動画データとが、それぞれ記録される。
【００６６】
また、画像処理部３０１および３０２のそれぞれが動画伸張処理を行う際、２つに分割された記録動画データの区切りの部分に、画像の繋ぎ目を目立たなくするためのオーバーラップ領域が含まれている場合には、オーバーラップ領域を処理した表示動画データを生成する。なお、オーバーラップ領域は、画像処理において用いるのみではなく、生成する表示動画データに残しておき、後述する表示動画データの表示のときに再度処理する構成とすることもできる。また、オーバーラップ領域のデータを表示動画データに残さず、後述する表示動画データの画像の表示のときに処理しない構成とすることもできる。
【００６７】
（手順３）：表示処理部４００は、撮像装置１０において動画の再生を行っているとき、画像処理部３０１および３０２によって動画伸張処理された表示動画データの画像を表示デバイス４０１に表示させる。このとき、表示処理部４００は、ＤＲＡＭ６０１に記録されている２つの表示動画データを読み出し、読み出した２つの表示動画データを合成して、図６（ｄ）に示したように、記録媒体５０１に記録されている動画の全体が表示されるようにする表示処理を施す。また、表示処理部４００は、合成した後の表示動画データの内、外部ディスプレイ４０２に表示する領域を表す表示領域枠ＡのＯＳＤ表示用のデータを重畳する表示処理を施す。そして、ＯＳＤ表示用のデータを重畳した表示動画データを、表示デバイス４０１に出力する。これにより、図６（ｄ）に示したように、表示領域枠Ａが重畳された全体の表示動画データの画像が、表示デバイス４０１に表示される。
【００６８】
なお、表示領域枠Ａは、ユーザが表示デバイス４０１の表示を確認しながら、操作ボタン８００を操作することによって、例えば、左右に移動させることができる。表示処理部４００は、ユーザによる操作ボタン８００の操作に応じて、表示領域枠Ａを表示させる位置を変更する表示処理を行う。より具体的には、ユーザによる操作ボタン８００の操作に応じた位置に、表示領域枠ＡのＯＳＤ表示用のデータを重畳する表示処理を施す。そして、表示領域枠Ａの位置を変更した表示動画データを、表示デバイス４０１に出力する。
【００６９】
また、表示処理部４００が２つの表示動画データを合成する表示処理を施す際、２つの表示動画データの区切りの部分に、画像の繋ぎ目を目立たなくするためのオーバーラップ領域が含まれている場合には、オーバーラップ領域の処理を含めた表示動画データの表示処理を行う。
【００７０】
（手順４）：表示処理部４００は、撮像装置１０において動画の再生を行っているとき、ユーザが操作ボタン８００を操作して指示した表示領域枠Ａ内の表示動画データの画像を、図６（ｅ）に示したように、外部ディスプレイ４０２に表示させる。このとき、表示処理部４００は、ＤＲＡＭ６０１に記録されている表示動画データを読み出し、読み出した表示動画データを、外部ディスプレイ４０２に表示させるが、表示領域枠Ａ内の表示動画データが、２つの表示動画データに跨っている場合には、表示デバイス４０１に表示する場合と同様に、２つの表示動画データを合成し、合成した後の表示動画データを、外部ディスプレイ４０２に出力する。
【００７１】
なお、外部ディスプレイ４０２に出力する表示動画データは、手順３と同様に、事前にＤＲＡＭ６０１に記録されている２つの表示動画データを合成して、動画の全体が表示されるように表示処理を施した表示動画データを生成し、生成した表示動画データの画像の一部を外部ディスプレイ４０２に出力するようにしてもよい。
【００７２】
このような手順によって、撮像装置１０では、記録媒体５０１に記録（保存）されているワイド動画撮影の記録動画データを、２つの画像処理部３０１および３０２のそれぞれで動画伸張処理を行う。そして、２つの画像処理部３０１および３０２のそれぞれが生成したそれぞれの表示用の動画ファイルを、表示デバイス４０１に表示する。また、撮像装置１０では、表示デバイス４０１に表示されている表示領域枠Ａを確認しながら、ユーザが操作ボタン８００を操作することによって、表示デバイス４０１に表示されているワイド動画撮影の表示動画データの画像の一部を、外部ディスプレイ４０２に表示する。すなわち、撮像装置１０では、全体の表示動画データの画像と、ユーザに指示された領域の表示動画データの画像とを同時に表示することができる。これにより、被写体が大きく動いている場合でも、ズームレンズの広角側（ワイド側）、またはさらに広角の状態で撮影された動画から、ユーザが所望する主要被写体を効率的に指示し、主要被写体に注目した動画の再生を効率的に行うことができる。
【００７３】
さらに、撮像装置１０では、ユーザが操作ボタン８００を操作して指示した表示領域枠Ａの情報を、記録動画データに関連付けて、記録することもできる。ここで記録された表示領域枠Ａの情報は、次回、同じ記録動画データを再生する際に用いる。これにより、同じ記録動画データを再生する際に、ユーザが再度、表示領域枠Ａの位置を指示する必要がなくなる。
【００７４】
表示領域枠Ａの情報を記録動画データに関連付けて記録する方法としては、記録動画データのヘッダ部分に、表示領域枠Ａの情報を追加する方法が考えられる。また、外部ディスプレイ４０２に表示している表示領域枠Ａ内の表示動画データ、または動画伸張処理された記録動画データの表示領域枠Ａの位置に対応する記録動画データを再度、動画圧縮処理して、別の記録動画データのファイルとして生成し、すでに記録媒体５０１に記録されている２つの記録動画データに関連した別のファイルとして記録する方法が考えられる。この場合には、記録動画データに対して動画伸張処理を施している画像処理部３０１および３０２と同時に、表示領域枠Ａ内の動画を動画圧縮処理する別の画像処理部を、撮像装置１０にさらに備えることが望ましい。別の画像処理部を撮像装置１０に搭載することにより、外部ディスプレイ４０２に表示しながら、別の記録動画データを生成することができる。また、外部ディスプレイ４０２に表示している表示動画データに編集を加えた後に記録動画データを生成することもできる。なお、ユーザが操作ボタン８００を操作して表示領域枠Ａを指示する、または編集を行う際には、外部ディスプレイ４０２に表示している表示動画データをスローで再生すると、表示領域枠Ａの指示や編集が容易になる。なお、表示領域枠Ａの情報を記録動画データに関連付けて記録する方法は、上述した方法に限定されるものではない。
【００７５】
なお、撮像装置１０では、外部ディスプレイ４０２が接続されていない場合でも、表示デバイス４０１に、ユーザが所望する主要被写体に注目した動画を再生することができる。この場合には、図６を参照して説明した動画再生の処理手順の内、手順３における処理が異なる処理になる。図７は、本実施形態の撮像装置１０において動画を再生する際の処理手順の別の一例を説明する図である。図７には、撮像装置１０に外部ディスプレイ４０２が接続されていないときの、図６を参照して説明した動画再生の手順３に代わる手順を示している。以下の説明においては、この手順を「手順３’」ということとする。
【００７６】
（手順３’）：表示処理部４００は、撮像装置１０において動画の再生を行っているとき、画像処理部３０１および３０２によって動画伸張処理された表示動画データの画像を表示デバイス４０１に表示させる。このとき、表示処理部４００は、ＤＲＡＭ６０１に記録されている２つの表示動画データを読み出し、読み出した２つの表示動画データを合成して、記録媒体５０１に記録されている動画の全体に対する表示処理を施す。そして、表示処理部４００は、合成した後の表示動画データの内、表示デバイス４０１に表示する領域を表す表示領域枠を内部で設定し、設定した表示領域枠内の表示動画データの画像を、表示デバイス４０１に出力する。これにより、図７（ａ）に示したように、内部で設定した表示領域枠内の表示動画データの画像が、表示デバイス４０１に表示される。
【００７７】
なお、内部で設定した表示領域枠も、ユーザが操作ボタン８００を操作することによって、例えば、左右に移動させることができる。表示処理部４００は、ユーザによる操作ボタン８００の操作に応じて、表示領域枠の位置の設定、すなわち、表示デバイス４０１に表示させる表示動画データの範囲を変更する。そして、変更した表示領域枠内の表示動画データの画像を、表示デバイス４０１に出力する。これにより、表示デバイス４０１に表示される表示動画データの画像の位置が変更される。
【００７８】
このように、撮像装置１０に外部ディスプレイ４０２が接続されていない場合でも、生成した表示動画データの画像の一部を、表示デバイス４０１に表示することができる。すなわち、撮像装置１０では、ユーザに指示された領域の表示動画データの画像を表示デバイス４０１に表示することができる。これにより、被写体が大きく動いている場合でも、ズームレンズの広角側（ワイド側）、またはさらに広角の状態で撮影された動画から、ユーザが所望する主要被写体に注目した動画を再生することができる。
【００７９】
なお、外部ディスプレイ４０２が接続されている場合と同様に、ユーザが操作ボタン８００を操作して指示した表示領域枠の情報を、記録動画データに関連付けて、記録することもできる。ここで記録された表示領域枠の情報も同様に、次回、同じ記録動画データを再生する際に用いることができ、同じ記録動画データを再生する際に、ユーザが再度、表示領域枠を指示する必要がなくなる。なお、表示領域枠の情報を記録動画データに関連付けて記録する方法は、上述した表示領域枠Ａの情報を記録動画データに関連付けて記録する方法と同様に考えることができるため、詳細な説明は省略する。
【００８０】
また、本実施形態の撮像装置１０では、再生されるユーザが所望する主要被写体に注目した動画の画素数は、従来の撮像装置で撮影された記録動画データ（本実施形態の撮像装置１０による通常の動画の撮影による記録動画データでも同様）を再生したときの画素数と同様である。
【００８１】
従来の撮像装置で撮影された記録動画データを用いて、図６および図７を参照して説明した、撮像装置１０のワイド動画撮影によって撮影した記録動画データの再生と同様の再生を行う、すなわち、従来の撮像装置による動画の撮影で得られる記録動画データの上下をカットすることによって、ワイド動画撮影と同様の画角の動画を再生すると、表示される表示動画データの画像の画素数は、少なくなってしまう。しかし、本実施形態の撮像装置１０では、ワイド動画撮影によって得られた複数の記録動画データのそれぞれは、通常の動画の撮影で得られる記録動画データと同等の記録画素数の記録動画データであるため、表示される表示動画データの画像の画素数が少なくなることがない。従って、本実施形態の撮像装置１０では、より高画質な動画を再生することができる。
【００８２】
ここで、撮像装置１０が再生する動画の画素数について説明する。図８は、本実施形態の撮像装置１０において動画を再生する際の画素数の一例を説明する図である。図８には、記録されている記録動画データの画素数と、表示する動画の画素数との関係の一例を示している。図８（ａ）には、ワイド動画撮影によって記録された記録動画データと表示動画データとの画素数を示し、図８（ｂ）には、通常の動画撮影によって記録された記録動画データと表示する動画の画素数を示している。
【００８３】
図８（ａ）に示したように、ワイド動画撮影では、２つの記録動画データ（本一例では、２Ｍｐｉｘｅｌ）が記録媒体５０１に記録（保存）されている。そして、この２つの記録動画データを再生する場合には、図８（ａ）に示した表示領域枠Ａ内の表示動画データの画像（本一例では、２Ｍｐｉｘｅｌ）が、外部ディスプレイ４０２に表示される。
【００８４】
すなわち、本実施形態の撮像装置１０において再生されるユーザが所望する主要被写体に注目した動画の画素数は、従来の撮像装置で撮影された記録動画データを、そのまま再生したときの画素数と同様である。従って、本実施形態の撮像装置１０においては、ワイド動画撮影の表示動画データの一部を外部ディスプレイ４０２に表示しているが、表示される画像は、画質が劣化することがない。
【００８５】
一方、図８（ｂ）に示したように、通常の動画撮影では、１つの記録動画データ（本一例では、２Ｍｐｉｘｅｌ）が記録媒体５０１に記録（保存）されている。そして、この１つの記録動画データを用いて、図８（ａ）と同様の考えに基づいた再生、すなわち、図６および図７を参照して説明した動作と同様の処理の再生を行うと、図８（ｂ）に示した表示領域枠Ｂ内の表示動画データの画像を外部ディスプレイ４０２に表示することになる。しかし、図８（ｂ）を見てわかるように、外部ディスプレイ４０２に表示する画像の画素数は、０．５Ｍｐｉｘｅｌである。すなわち、従来の撮像装置で撮影された記録動画データを用いて、ワイド動画撮影と同様の画角の動画を再生しようとすると、表示される動画の画像の画素数が少なくなってしまう、すなわち、表示される画像の画質が低下してしまう。
【００８６】
上記に述べたとおり、本発明を実施するための形態によれば、動画を撮影する際に、ズームレンズを広角側（ワイド側）、またはさらに広角にした状態で、被写体の光学像をイメージセンサに結像させる。これにより、例えば、運動会の徒競走やＦ１（Ｆｏｒｍｕｌａ  Ｏｎｅ）などの自動車レースのように、大きく動いている被写体の動画を撮影する場合でも、ユーザが被写体を見失うことなく撮影することができる。
【００８７】
また、本発明を実施するための形態によれば、撮像装置に複数の画像処理部を搭載する。そして、イメージセンサの有効画素の内、上下の部分を除いた（カットした）領域を複数に分割し、分割したそれぞれの領域の画像データに対する画像処理を、搭載したそれぞれの画像処理部が分担して行うことにより、複数の動画データを生成する。これにより、被写体を結像した画像データの画素数が多くても、それぞれの画像処理部における処理の負荷を増大させることなく、また、記録画素数を低下させることなく、より高画質の動画データを生成することができる。
【００８８】
また、本発明を実施するための形態では、同じ画像処理部を複数搭載するのみであるため、構成が複雑になることを抑えることもできる。また、撮像装置の動作によっては、予め定めた画像処理部以外の動作を停止させることができ、撮像装置の消費電力の増大を抑えることができる。
【００８９】
また、本発明を実施するための形態によれば、動画を再生する際に、ズームレンズを広角側（ワイド側）、またはさらに広角にした状態で撮影した動画データに含まれる主要被写体部分を指示する。これにより、所望する主要被写体に注目した領域の動画を再生することができる。
【００９０】
なお、本実施形態においては、イメージセンサ１００の有効画素の上下の部分をカットした領域の入力画像データに基づいて、記録動画データおよび表示動画データを生成する場合、すなわち、左右に動きが大きい（速い）被写体を撮影するために、左右に広角の動画データを生成する場合について説明した。しかし、イメージセンサ１００の有効画素の一部分をカットする領域は、本発明を実施するための形態に限定されるものではない。例えば、イメージセンサ１００の有効画素の左右の部分をカットした領域の入力画像データに基づいて、記録動画データおよび表示動画データを生成する、すなわち、上下に動きが大きい（速い）被写体を撮影するために、上下に広角の動画データを生成する場合にも、同様に適用することができる。また、左右の広角と上下の広角とを切り替える構成にすることもできる。
【００９１】
なお、本実施形態においては、撮像装置１０に２つの画像処理部（画像処理部３０１および３０２）を備え、２つの記録動画データを生成し、２つの記録動画データに基づいて生成した表示動画データを生成する場合について説明した。しかし、撮像装置に備える画像処理部の数は、本発明を実施するための形態に限定されるものではなく、本発明の趣旨を逸脱しない範囲において撮像装置に備える画像処理部の数を変更することができる。
【００９２】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【００９３】
１０・・・撮像装置
１００・・・イメージセンサ（固体撮像装置，撮像部）
２００・・・前処理部（撮像部）
３０１，３０２・・・画像処理部
４００・・・表示処理部（表示部）
４０１・・・表示デバイス（表示部）
４０２・・・外部ディスプレイ
５００・・・カードインタフェース部
５０１・・・記録媒体
６００・・・ＤＲＡＭコントローラ
６０１・・・ＤＲＡＭ
７００・・・ＣＰＵ（制御部，領域指示部）
８００・・・操作ボタン（領域指示部）
９００・・・データバス
【図１】
2013102324.tif 000003
【図２】
2013102324.tif 000004
【図３】
2013102324.tif 000005
【図４】
2013102324.tif 000006
【図５】
2013102324.tif 000007
【図６】
2013102324.tif 000008
【図７】
2013102324.tif 000009
【図８】
2013102324.tif 000010